(57)【特許請求の範囲】
【請求項１】
認証コードを入力する入力装置であって、
入力を受け付けるタッチセンサと、
前記タッチセンサのタッチ面を振動させる触感呈示部と、
前記タッチセンサにより入力が受け付けられると、前記触感呈示部により前記タッチ面に接触する対象に対して断続的に触感を呈示し、
入力決定の動作が検出されると、前記呈示された触感の回数に基づく認証コードを受け付けるように制御する制御部と、
を備え、
前記タッチセンサのタッチ面に対して水平方向に移動しながら入力を行う際に、前記タッチセンサにより受け付けられている入力の方向変化を前記入力決定の動作とすることを特徴とする入力装置。
【請求項２】
認証コードを入力する入力装置であって、
押圧による入力がされる入力面と、
前記入力面に対する押圧荷重を検出する荷重検出部と、
前記入力面を振動させる触感呈示部と、
前記荷重検出部により押圧荷重が検出されると、前記触感呈示部により前記入力面を押圧している対象に対して断続的に触感を呈示し、
入力決定の動作が検出されると、前記呈示された触感の回数に基づく認証コードを受けつけるように制御する制御部と、
を備え、
前記入力面に対して水平方向に移動しながら入力を行う際に、前記入力面に対する入力の方向変化を前記入力決定の動作とすることを特徴とする入力装置。
【発明の詳細な説明】
【技術分野】
【０００１】
本発明は、入力装置に関し、特に、認証コードを入力するための入力装置に関する。
【背景技術】
【０００２】
金融機関やコンビニエンスストアなどに設置されている自動取引装置のＡＴＭ（Automated Teller Machine）やクレジットカードなどを利用するためには、カードの持ち主である顧客（利用者）しか知りえない暗証番号（認証コード）の入力が求められる。しかしながら、昨今、認証コードの入力時に、認証コードが覗き見や盗撮により漏えいし、漏えいした認証コードによる不正取引が増加傾向にある。
【０００３】
このため、近年、認証コードに対するセキュリティが重要視されており、様々な対策が講じられている。例えば、下記の特許文献１には、認証コードを入力する際に、他人に指先が目視されていた場合においても、認証コードの漏えいを防止できる暗証番号入力装置が開示されている。
【０００４】
この暗証番号入力装置は、表示部と、テンキーを備える入力部と、情報処理を実行する情報処理部と、を備えており、図１５に示すような一連の情報処理が情報処理部で行われている。顧客は、暗証番号（認証コード）をそのまま入力するのではなく、暗証番号入力装置側から出された指示に従い、暗証番号に所定の演算を行って得られた数値を入力する。例えば図１５に示すように、暗証番号が「１２３４」の場合、まず、情報処理部により各桁に対する演算方法とオペランドとが決定される。そして、情報処理部が、「あなたの暗証番号の１桁目に２を加えた値を入力し実行キーを押してください」という指示を表示部に表示させる。顧客は、１回目の数値入力操作として、表示部に表示された指示に従い、暗証番号の１桁目である「１」に、情報処理部により決定されたオペランドの「２」を加えた「３」を入力部から入力し、実行キーを押す。顧客はこのような動作を４桁分繰り返し、情報処理部はこの入力された数値から逆算を行って元の暗証番号を導きだして認証を行う。
【０００５】
このように、特許文献1に記載の暗証番号入力装置では、顧客が入力する数字キーと暗証番号とが異なるため、暗証番号を入力する際にたとえ他人に指先が直接目視されていたとしても、暗証番号が漏えいすることはない。
【先行技術文献】
【特許文献】
【０００６】
【特許文献１】特開２００８−１４０００９号公報
【発明の概要】
【発明が解決しようとする課題】
【０００７】
しかしながら、利用者が、暗証番号（認証コード）を直接入力する入力装置においては、押圧されたキーに対応するコードがそのまま受け付けられてしまう。つまり、押圧されたキーと入力装置が受け付けるコードとが対応しているため、押圧されているキーを覗き見や盗撮することにより、認証コードが漏えいするという問題がある。
【０００８】
また、特許文献１のように、直接、認証コードを入力しないとしても、表示部に表示されている指示が見られていたり、盗撮されていたりした場合には、計算により簡単に認証コードを求めることが可能であり、他人に認証コードが漏えいしてしまうという問題点がある。これは、押圧されたキーに対応するコードがそのまま受け付けられてしまうため、覗き見や盗撮された場合に、押圧されているキーから入力装置が受け付けるコードが他人に分かってしまい、そのコードと表示部に表示された指示とに基づいて計算を行うことにより、認証コードが導き出されてしまうためである。
【０００９】
本発明の目的は、認証コードを入力する操作が他人に見られていた場合でも、認証コードの漏えいを防止できる入力装置を提供することである。
【課題を解決するための手段】
【００１２】
上記目的を達成する請求項１に係る入力装置の発明は、
認証コードを入力する入力装置であって、
入力を受け付けるタッチセンサと、
前記タッチセンサのタッチ面を振動させる触感呈示部と、
前記タッチセンサにより入力が受け付けられると、前記触感呈示部により前記タッチ面に接触する対象に対して断続的に触感を呈示し、
入力決定の動作が検出されると、前記呈示された触感の回数に基づく認証コードを受け付けるように制御する制御部と、
を備え、
前記タッチセンサのタッチ面に対して水平方向に移動しながら入力を行う際に、前記タッチセンサにより受け付けられている入力の方向変化を前記入力決定の動作とすることを特徴とするものである。
【００１６】
さらに、上記目的を達成する請求項２に係る入力装置の発明は、
認証コードを入力する入力装置であって、
押圧による入力がされる入力面と、
前記入力面に対する押圧荷重を検出する荷重検出部と、
前記入力面を振動させる触感呈示部と、
前記荷重検出部により押圧荷重が検出されると、前記触感呈示部により前記入力面を押圧している対象に対して断続的に触感を呈示し、
入力決定の動作が検出されると、前記呈示された触感の回数に基づく認証コードを受けつけるように制御する制御部と、
を備え、
前記入力面に対して水平方向に移動しながら入力を行う際に、前記入力面に対する入力の方向変化を前記入力決定の動作とすることを特徴とするものである。
【発明の効果】
【００１７】
本発明によれば、認証コードを入力する操作が他人に見られていた場合でも、認証コードの漏えいを防止できる入力装置を提供することができる。
【図面の簡単な説明】
【００１８】
【図１】本発明の第１実施の形態に係る入力装置の概略構成を示すブロック図である。
【図２】本発明に係る入力装置の触感発生の概念図を示す図である。
【図３】本発明の第１実施の形態に係る入力装置の動作を示すフローチャートである。
【図４】本発明の第１実施の形態に係る入力装置における、第１の例に従うタッチ面上の入力動作を示す図である。
【図５】図４の入力動作における、触感応答のタイミングを示す図である。
【図６】本発明の第１実施の形態に係る入力装置における、第２の例に従うタッチ面上の入力動作を示す図である。
【図７】図６の入力動作における、触感応答のタイミングを示す図である。
【図８】本発明の第２実施の形態に係る入力装置の概略構成を示すブロック図である。
【図９】本発明の第２実施の形態に係る入力装置における、タッチ面上の入力動作を示す図である。
【図１０】図９の入力動作における、触感応答のタイミングを示す図である。
【図１１】本発明の第３実施の形態に係る入力装置の概略構成を示すブロック図である。
【図１２】本発明の第３実施の形態に係る入力装置の動作を示すフローチャートである。
【図１３】本発明の第３実施の形態に係る入力装置における、第１の例に従う入力動作における、触感応答のタイミングを示す図である。
【図１４】本発明の第３実施の形態に係る入力装置における、第２の例に従う入力動作における、触感応答のタイミングを示す図である。
【図１５】従来の入力装置における認証コードの入力及び認証方法を示す図である。
【発明を実施するための形態】
【００１９】
以下、本発明の実施の形態について、図を参照して説明する。
【００２０】
（第１実施の形態）
図１は、本発明の第１実施の形態に係る入力装置の概略構成を示すブロック図である。この入力装置１は、タッチセンサ１１、触感呈示部１２、及び、全体の動作を制御する制御部１３を有する。タッチセンサ１１は、指などによる入力を受け付けるもので、抵抗膜方式、静電容量方式、光学式等の公知の方式のもので構成する。触感呈示部１２は、タッチセンサ１１を振動させるもので、例えば、圧電素子を用いて構成する。制御部１３は、全体の動作を制御するもので、例えば、ＣＰＵ等の機能を実装したマイクロプロセッサを用いて構成する。
【００２１】
図２は、図１に示した入力装置の実装構造の一例を示す。なお、本実施の形態に係る入力装置１では、タッチセンサ１１は平面状で矩形状であるとする。タッチセンサ１１のタッチ面１１ａは、例えば透明フィルムやガラスで構成され、裏面はガラスやアクリルで構成されている。タッチセンサ１１は、タッチ面１１ａが押圧されると、押圧部分が押圧力に応じて微少量撓む（歪む）、又は構造体そのものが微少量撓む構造となっている。触感呈示部１２は、タッチセンサ１１を振動させユーザの指に振動等の触感を呈示できるように、例えばタッチセンサ１１に接触して配置される。また、タッチセンサ１１が指などによる入力を検出している間に、触感呈示部１２はタッチセンサ１１のタッチ面１１ａを振動させ指先に触感を呈示する。
【００２２】
図３は、本実施の形態に係る入力装置の動作を示すフローチャートである。制御部１３は、タッチセンサ１１が、指やスタイラスペン等の接触対象による接触を検出すると、制御部１３に備えられたカウンタ（図示しない）のカウンタ値をゼロにリセットする（ステップＳ３０１、Ｓ３０２）。制御部１３は、制御部１３に備えられたタイマ（図示しない）のカウンタ値も、ゼロにリセットする（ステップＳ３０３）。そして、制御部１３は、触感が発生するまでのウェイト時間の経過に伴い、このタイマのカウンタ値を、値ｎまでカウントアップする（ステップＳ３０５）。制御部１３は、このウェイト時間中常に、接触対象によるタッチセンサ１１への接触が検出されているか監視し続ける（ステップＳ３０４）。そして、制御部１３は、後述のウェイト時間を挟んで、振動による触感を１回発生するように、触感呈示部１２を制御する（ステップＳ３０６）。制御部１３は、触感呈示部１２が触感を１回発生する毎に、カウンタのカウンタ値に１を追加する（ステップＳ３０７）。そして、制御部１３は、ウェイト時間中に入力決定動作を検出した時のカウンタ値を認証コードとして受け付ける（ステップＳ３０４、Ｓ３０８）。
【００２３】
この入力決定動作の第１の例としては、指などの接触対象がタッチ面１１ａから離れることが挙げられる。この場合、ステップＳ３０４において、制御部１３は、タッチセンサ１１への接触が検出さているか否かを判断する。また、入力決定動作の第２の例としては、指などの接触対象がタッチ面１１ａ上を移動する場合に、その移動方向が一定以上変化することが挙げられる。この場合、制御部１３は、タッチセンサ１１への入力の方向変化を検出した場合には、検出時のカウンタ値を認証コードとして受け付ける（ステップＳ３０４、Ｓ３０８）。以下に、これら２つの入力決定動作の例について、図面を参照して説明する。
【００２４】
図４は、接触対象がタッチ面１１ａから離れることを入力決定動作とする場合の、タッチ面１１ａ上の接触対象を示す図である。タッチ面１１ａ上におけるタッチ位置は特に限定する必要はなく、ａ〜ｅのようにどの位置でもよい。また、接触対象はタッチ面１１ａ上にタッチさえすればよく、１つの位置にタッチし続けても良いし、タッチ面１１ａ上をスライドして、他の位置に移動しても良い。
【００２５】
図５は、第１の例に従う入力決定動作により、認証コード「４」及び「６」を入力する場合の、触感応答のタイミングを示した図である。黒い丸印は触感応答を示し、状態Ａは認証コード「４」を入力している状態を示し、状態Ｂは、認証コード「６」を入力している状態を示す。時間ｔ０において、例えば、タッチ面１１ａ上の位置ａにユーザが指をタッチすると、制御部１３は、触感呈示部１２がランダムなタイミングでタッチ面１１ａを振動させ指に触感を返すように制御する。この触感は振動に基づくものであり、例えば、周期や振幅を変更することにより様々な触感を呈示することができる。例えば、「ブルブル」といったバイブレーションのような触感や、「カッチッ」といったキーを押しているような触感などを呈示する。そして、ユーザが、その触感を４まで数えたところで、時間ｔ１において、指をタッチ面１１ａから離すと、制御部１３は認証コードを決定する。図３を参照して説明したように、制御部１３は、触感呈示部１２が触感を１回発生する毎にカウンタのカウンタ値に１を追加するので、触感呈示部１２が触感を４回発生した時点では、カウンタ値は４となっている。よって、この時点で、制御部１３は、タッチセンサ１１がタッチ面から指が離れたことを検出すると、カウンタ値４を認証コードとして決定する。同様の方法で、ユーザが、触感を６まで数えた場合には、制御部１３はカウンタ値６を認証コードとして決定する。
【００２６】
触感を発生させる間隔（ウェイト時間）は、１つの固定値に限定されない。即ち、図５に示したように、各触感についてランダムな間隔とすることができる。また、１つの認証コードを入力している間は一定間隔としても、別の認証コードを入力する際に別の間隔に変更すれば、必ずしも全ての触感についてランダムな間隔でなくてもよい。ユーザにとって、一定の間隔で触感が呈示された方が、タイミングがとりやすく、間違えることなく認証コードの入力をすることができるからである。しかし、全ての認証コードを入力する際に、触感が常に一定間隔で発生していると、ユーザによる入力状態を目視して、ユーザの指がタッチ面１１ａに触れている時間を計算することで、認証コードが推測可能となってしまい、認証コードが漏えいしてしまう危険がある。この為、１つの認証コードごとに触感を発生させる間隔を変更する必要がある。
【００２７】
図６は、指などの接触対象の移動方向が一定以上変化することを入力決定動作とする場合の、タッチ面１１ａ上の接触対象を示す図である。タッチ面１１ａ上のタッチ位置は特に限定されず、タッチ面１１ａ上のどの位置からどの位置に移動しても良い。図６では、指は、位置ａから位置ｂに直線的にスライドした後に、位置ｃへとスライドする。制御部１３は、この方向変化により、認証コードを決定する。
【００２８】
図７は、図６に示した入力決定動作により、認証コード「４」及び「６」を入力する場合の、触感応答のタイミングを示した図である。図５と同様に、黒い丸印は触感応答を示し、状態Ａは認証コード「４」を入力している状態を示し、状態Ｂは、認証コード「６」を入力している状態を示す。時間ｔ０において、例えば、タッチ面１１ａ上の位置ａにユーザが指をタッチすると、制御部１３は、ランダムなタイミングでタッチ面１１ａを振動させ、指に触感を返す。そして、ユーザが、その触感を４まで数えたところで、時間ｔ１に位置ｂにおいて、スライド方向を変更すると、制御部１３は認証コードを決定する。図３を参照して説明したように、制御部は、触感を１回発生する毎にカウンタのカウンタ値に１を追加するので、触感を４回発生した時点では、カウンタ値は４となっている。よって、この時点で、制御部１３は、指のスライド方向の変更を検出した時には、カウンタ値４を認証コードとして決定する。引き続き、ユーザが、指を位置ｃへとスライドしながら触感を６までカウントしたところで、スライド方向を変更すると、制御部１３はカウンタ値６を認証コードとして決定する。
【００２９】
このように、本実施の形態に係る入力装置においては、制御部１３は、タッチセンサ１１により入力が受け付けられると、タッチ面１１ａに接触する対象に対して断続的に触感を呈示するように触感呈示部１２を制御する。そして、制御部１３は、入力決定の動作を検出すると、呈示された触感の回数に基づく認証コードを受け付ける。触感は認証コードの入力を行っているユーザにしか分からない感覚である。このため、ユーザによるタッチセンサ１１のタッチ面１１ａへの入力操作が他人に見られていた場合でも、認証コードの漏えいを防止することができる。また、上述の入力決定の動作の検出を、タッチセンサ１１の入力解除（接触対象がタッチ面１１ａから離れたこと）の検出や、タッチセンサ１１への入力の方向変化の検出とすることで、ユーザに対して、より直感的な操作性を提供できる。
【００３０】
（第２実施の形態）
図８は、本発明の第２実施の形態に係る入力装置を示すもので、図８は概略構成を示すブロック図を示す。図１に示した入力装置に加えて、この入力装置は、押圧荷重を検出する荷重検出部２４を有する。荷重検出部２４は、タッチセンサ２１のタッチ面２１ａ（図９参照）に対する押圧荷重を検出するもので、例えば、歪みゲージセンサや圧電素子などの荷重に対して線形に反応する素子を用いて構成される。
【００３１】
本実施の形態に係る入力装置においても、上に例示した２つの入力決定動作を採用することができる。即ち、この入力決定動作の第１の例としては、指などの接触対象がタッチ面２１ａから離れることが挙げられる。この場合、ステップＳ３０４において、制御部２３は、タッチセンサ２１への接触が検出さているか否か、又は、荷重検出部３４により検出されている荷重が０となったか否かを判断する。また、入力決定動作の第２の例としては、指などの接触対象がタッチ面２１ａ上を移動する場合に、その移動方向が一定以上変化することが挙げられる。この場合、制御部２３は、タッチセンサ２１への入力の方向変化を検出した場合には、検出時のカウンタ値を認証コードとして受け付ける（ステップＳ３０４、Ｓ３０８）。
【００３２】
図９は、所定の荷重基準以上の押下力が加えられることを入力決定動作とする場合の、タッチ面２１ａ上の押圧対象の動作の一例を示す図である。タッチ面２１ａ上のタッチ位置は特に限定されず、タッチ面２１ａ上のどの位置からどの位置に移動してもよいし、又は、必ずしも移動しなくてもよい。図９では、指は、位置ａからｂ、位置ｂからｃに直線的に移動する。
【００３３】
図１０は、所定の荷重基準以上の押下力が加えられることを入力決定動作とした場合に、認証コード「４６」を入力する際の、触感応答のタイミングを示した図である。図５と同様に、黒い丸印は触感応答を示し、状態Ａは認証コード「４」を入力している状態を示し、状態Ｂは、認証コード「６」を入力している状態を示す。時間ｔ０において、例えば、タッチ面２１ａ上の位置ａにユーザが指をタッチすると、制御部２３は、ランダムなタイミングでタッチ面を振動させ、指に触感を返す。そして、ユーザが、その触感を４まで数えたところで、時間ｔ１において、押下力を荷重基準Ｐ１以上に強めると、制御部２３は認証コードを決定する。図３を参照して説明したように、制御部２３は、触感を１回発生する毎にカウンタのカウンタ値に１を追加するので、触感を４回発生した時点では、カウンタ値は４となっている。よって、この時点で、制御部２３は、押下力が荷重基準Ｐ１以上になったことを検出すると、カウンタ値４を認証コードとして決定する。同様の方法で、ユーザが、触感を６まで数えた後に、指を荷重基準Ｐ１以上に再度強めた場合には、制御部２３はカウンタ値６を認証コードとして決定する。
【００３４】
図１０では、押下力は荷重基準Ｐ１以上に強められた後に、一旦、荷重基準Ｐ１以下に弱められてから、再度荷重基準Ｐ１以上に強められて認証コード「６」が入力決定されている。ここで、ユーザは、１桁目の入力コードを入力した後に、必ずしも押下力を弱める必要は無い。例えば、入力装置において、荷重基準Ｐ１より大きい荷重基準Ｐ２を設定することにより、認証コードの２桁目以降を入力に際しては、更に大きい押下力を加えることで入力決定できる。このように、荷重基準を複数設定して複数桁にわたる認証コードを入力することも可能である。
【００３５】
このように、本実施の形態に係る入力装置は、荷重検出部２４により検出される押圧荷重が荷重基準を満たすことを前記入力決定の動作とするので、第１実施の形態に係る入力装置と同様に、ユーザによる入力操作が他人に見られていた場合でも、認証コードの漏えいを防ぐことができる。その上、押圧荷重が荷重基準を満たすことを前記入力決定の動作とするので、タッチ面２１ａ上で指を上下左右に動かすことなく、タッチ面の押し込みのみによって認証コードを入力することができる。従って、ユーザによる入力操作が他人に見られていた場合でも、確実に認証コードの漏えいを防ぐことができる。
【００３６】
（第３実施の形態）
図１１は、本発明の第３実施の形態に係る入力装置の概略構成を示すブロック図である。この入力装置は、触感呈示部３２、全体の動作を制御する制御部３３、押圧荷重を検出する荷重検出部３４、及び、押圧による入力がされる入力面を備える入力部３５を有する。荷重検出部３４は、入力面に対する押圧荷重を検出し、触感呈示部３２は入力面を振動させる。本発明の第１及び第２実施の形態に係る入力装置と同様の構成要素については説明を省略する。
【００３７】
図１２は、本実施の形態に係る入力装置の動作を示すフローチャートである。制御部３３は、荷重検出部３４が、指やスタイラスペン等の押圧対象による押圧を検出すると、制御部に備えられたカウンタ（図示しない）のカウンタ値をゼロにリセットする（ステップＳ１２０１、Ｓ１２０２）。制御部３３は、制御部３３に備えられた、タイマ（図示しない）のカウンタ値も、ゼロにリセットする（ステップS１２０３）。そして、制御部３３は、触感が発生するまでのウェイト時間の経過に伴い、このタイマのカウンタ値を、値ｎまでカウントアップする（ステップＳ１２０５）。制御部３３は、このウェイト時間中常に、押圧対象による入力面への押圧が荷重検出部３４により検出されているか監視し続ける（ステップＳ１２０４）。そして、制御部３３は、上述のウェイト時間を挟んで、振動による触感を１回発生するように、触感呈示部３２を制御する（ステップＳ１２０６）。制御部３３は、触感呈示部３４が触感を１回発生する毎に、カウンタのカウンタ値に１を追加する（ステップＳ１２０７）。そして、制御部１３は、ウェイト時間中に入力決定動作を検出した時のカウンタ値を認証コードとして受け付ける（ステップＳ１２０４、Ｓ１２０８）。
【００３８】
この入力決定動作の第１の例としては、荷重検出部により検出された押圧力が荷重基準を満たすことが挙げられる。この場合、ステップＳ１２０４において、制御部３３は、押圧力が荷重基準を満たすか否かを判断する。また、この場合の入力面上における押圧対象の位置は、特に限定されず、例えば、図４におけるａ〜ｅのように、入力面上のどの位置でもよい。また、押圧対象は入力面上のいずれかの位置を押圧しさえすればよく、１つの位置を押圧し続けても良いし、入力面上をスライドして、他の位置に移動しても良い。
【００３９】
図１３は、第１の例に従う入力動作における、触感応答のタイミングを示す図である。図５と同様に、黒い丸印は触感応答を示し、状態Ａは認証コード「４」を入力している状態を示し、状態Ｂは、認証コード「６」を入力している状態を示す。時間ｔ０において、例えば、入力面上の位置ａをユーザが指で押下すると、制御部３３は、ランダムなタイミングで入力面を振動させ、指に触感を返す。そして、ユーザが、その触感を４まで数えたところで、時間ｔ１において、指を入力面から離すと、制御部３３は認証コードを決定する。図３を参照して説明したように、触感呈示部３２が触感を１回発生する毎に、制御部３３はカウンタのカウンタ値に１を追加するので、触感を４回発生した時点では、カウンタ値は４となっている。よって、この時点で、制御部３３は、指が入力面から離れたことを検出すると、カウンタ値４を認証コードとして決定する。同様の方法で、ユーザが、触感を６まで数えた場合には、制御部３３はカウンタ値６を認証コードとして決定する。
【００４０】
図１３に示すように、荷重基準はゼロであってもよく、この場合、押圧対象が入力面から離れた場合に入力が決定する。また、図１０に示したように押下力が荷重基準Ｐ１以上になった場合に認証コードを入力することも可能である。また、荷重基準を複数設定しても良く、複数桁にわたる認証コードを入力することも可能である。
【００４１】
また、入力決定動作の第２の例としては、図６に示したように、指などの押圧対象が入力面上を移動する場合に、その移動方向が一定以上変化することが挙げられる。この場合、制御部１３は、入力面３５により受け付けられている入力の方向変化を検出した場合には、検出時のカウンタ値を認証コードとして受け付ける（ステップＳ１２０４、Ｓ１２０８）。
【００４２】
図１４は、本発明の第３実施の形態に係る入力装置における、第２の例に従う入力動作における、触感応答のタイミングを示す図である。図７と同様に、黒い丸印は触感応答を示し、状態Ａは認証コード「４」を入力している状態を示し、状態Ｂは、認証コード「６」を入力している状態を示す。時間ｔ０において、例えば、図６と同様に、入力面上の位置ａを指で押下すると、制御部３３は、触感呈示部３２がランダムなタイミングで入力面を振動して、指に触感を返すように制御する。そして、ユーザが、位置ｂまで指をスライドしながら、その触感を４まで数えたところで、時間ｔ１に位置ｂにて、スライド方向を変更すると、制御部３３は認証コードを決定する。引き続き、ユーザが、指を位置ｃへとスライドしながら触感を6までカウントしたところで、スライド方向を変更すると、制御部３３はカウンタ値６を認証コードとして決定する。
【００４３】
このように、本実施の形態に係る入力装置においては、制御部３３は、荷重検出部３４により押圧荷重が検出されると、入力面を押圧している押圧対象に対して断続的に触感を呈示するように触感呈示部３２を制御する。そして、制御部３３は、入力決定の動作を検出すると、呈示された触感の回数に基づく認証コードを受け付ける。これにより、ユーザによる認証コードの入力操作が他人に見られていた場合でも、認証コードの漏えいを防止することができる。上述の入力決定の動作の検出を、押圧荷重が荷重基準を満たすことの検出とすることで、タッチ面の押し込みのみによって認証コードを入力することができる。従って、確実に認証コードの漏えいを防止することができる。また、上述の入力決定の動作の検出を、入力の方向変化の検出とすることで、ユーザに対して、直感的な操作性を提供できる。
【００４４】
例えば、上述した実施の態様のいずれかに従う入力装置において、認証コードの入力中に、入力決定の動作以外の動作が検出されることが考えられる。具体的には、入力方向の変化を入力決定の動作として設定した場合に、認証コードの入力中にユーザがタッチ面（入力面）から指を離してしまうことが挙げられる。この場合に、例えば、タッチセンサ（１１、２１）又は荷重検出部（２４、３４）が、認証コード決定前に指が離れたことを検出した場合には、制御部（１３、２３、３３）は、カウンタ値を保持、又は、リセットすることも可能である。更に、カウンタ値を所定時間保持した後に、カウンタ値をリセットすることも可能である。具体的には、制御部（１３、２３、３３）が、指のスライド方向の変化を検出する前に、タッチ面１１ａ（入力面）から指が離れたことを検出した場合には、所定時間はカウンタのカウンタ値を保持することができる。その後、制御部（１３、２３、３３）が、タッチセンサ（１１、２１）又は荷重検出部（２４、３４）が、所定時間以内に再度タッチ面１１ａ（入力面）への指の接触（押圧）を検出した場合は、そのカウンタ値から触感呈示回数のカウントを再開することができる。カウンタ値を保持できる所定時間が経過しても、タッチセンサ（１１、２１）又は荷重検出部（２４、３４）が、再度指のタッチ面１１ａ（入力面）への接触（押圧）を検出しない場合には、制御部（１３、２３、３３）は、カウンタのカウンタ値をリセットし、入力状態を解除することができる。
【００４５】
また、タッチセンサ（１１、２１）が、ある接触対象のタッチ面１１ａへの接触を検出している最中に他の接触対象による接触を検出した場合や、荷重検出部（２４、３４）が、ある押圧対象による入力面への押圧を検出している最中に他の押圧対象による押圧を検出した場合にも、制御部（１３、２３、３３）が入力決定するように、即ち、複数の点で接触や押圧があった場合に入力決定するように、入力装置（１０、２０、３０）を構成することもできる。
【００４６】
更には、認証コードの入力桁数が決まっている場合には、ユーザが、最終桁の認証コードの値に対応する触感回数まで数えた後に、タッチ面１１ａ（入力面）から指を離すことによっても認証コードが決定され、入力終了とすることができる。即ち、カウンタのカウンタ値と認証コードの最終桁の値とが一致している時に、接触対象のタッチ面１１ａへの接触がタッチセンサ（１１、２１）により検出されなくなった場合や、押圧対象の入力面への押圧が荷重検出部（２４、３４）により検出されなくなった場合にも、制御部（１３、２３、３３）は、認証コードを決定し入力終了としうる。これにより、ユーザの感覚により即した操作性が提供できる。
【００４７】
また、本発明では、表示部を備えずに、触感をユーザに呈示することにより、他人から認証コードを入力する操作が見られていた場合でも、認証コードの漏えいを防止できる入力装置を提供することができる。しかしながら、たとえ表示部を備えていたとしても、本発明においては、表示部の表示と入力装置が受け付ける認証コードには何ら関係性がない。このため、本発明が表示部を備えていた場合でも、他人に認証コードが漏えいすることを防止できる入力装置を提供することができる。
【００４８】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各機能部、各ステップなどに含まれる機能などは論理的に矛盾しないように再配置可能であり、複数の機能部やステップなどを１つに組み合わせたり、或いは分割したりすることが可能である。
【００４９】
例えば、荷重検出部（２４、３４）及び触感呈示部（２２、３２）は、圧電素子を共用して、荷重検出部（２４、３４）及び触感呈示部（２２、３２）を構成することも可能である。
【符号の説明】
【００５０】
１１  タッチセンサ
１１ａ  タッチ面
１２  触感呈示部
１３  制御部
２１  タッチセンサ
２１ａ  タッチ面
２２  触感呈示部
２３  制御部
２４  荷重検出部
３２  触感呈示部
３３  制御部
３４  荷重検出部
３５  入力部
【図１】
0005461105.tif 000002
【図２】
0005461105.tif 000003
【図３】
0005461105.tif 000004
【図４】
0005461105.tif 000005
【図５】
0005461105.tif 000006
【図６】
0005461105.tif 000007
【図７】
0005461105.tif 000008
【図８】
0005461105.tif 000009
【図９】
0005461105.tif 000010
【図１０】
0005461105.tif 000011
【図１１】
0005461105.tif 000012
【図１２】
0005461105.tif 000013
【図１３】
0005461105.tif 000014
【図１４】
0005461105.tif 000015
【図１５】
0005461105.tif 000016